(57)【特許請求の範囲】
【請求項１】
移動体に設置または携帯され、
地域または地点についての地域データを含む複数の受信データを受信する受信部と、
前記受信データの情報の出力を制御する処理部と、
を有する受信装置であって、
前記受信データには、前記受信データの出力を開始するべき地域または地点の情報が含まれ、
前記地域データには、前記受信データの出力を開始するべき地域または地点へ至る通過地点の情報が含まれ、
前記処理部は、
前記受信データの出力を開始するべき地域または地点へ向かって、前記受信装置が前記通過地点を経由した場合に、前記受信データの情報を出力するように制御する、
ことを特徴とする受信装置。 
【請求項２】
前記処理部は、
前記受信装置が前記通過地点を通過したことを記録し、
前記受信データの出力を開始するべき地域または地点において、前記通過地点の通過の記録の有無を確認し、前記地域データの情報の出力を前記通過の記録の有無に応じて制御する、
ことを特徴とする請求項１記載の受信装置。 
【請求項３】
前記地域データには、複数の前記通過地点の情報が含まれ、
前記処理部は、
各通過地点についての前記通過の記録の有無を確認し、前記地域データの情報の出力を、少なくとも１つの前記通過の記録の有無に応じて制御する、
ことを特徴とする請求項２記載の受信装置。 
【請求項４】
移動体に設置または携帯され、地域または地点についての地域データを含む複数の受信データを受信する受信部と、前記受信データの情報の出力を制御する処理部と、を有する受信装置に用いられる地域情報の出力方法であって、
前記受信データの出力を開始するべき地域または地点の情報と、前記受信データの出力を開始するべき地域または地点へ至る通過地点の情報を含む地域または地点についての地域データと、を含む複数の受信データを受信する受信工程と、
前記受信データの出力を開始するべき地域または地点へ向かって、前記受信装置が前記通過地点を経由した場合に、前記受信データの情報を出力するように制御する制御工程と、
を含むことを特徴とする地域情報の出力方法。 
【請求項５】
請求項４に記載の地域情報の出力方法を、コンピュータにより実行させる、
ことを特徴とする地域情報の出力プログラム。
【請求項６】
請求項５に記載の地域情報の出力プログラムが、コンピュータにより読み取り可能に記録されている、
ことを特徴とする記録媒体。
【発明の詳細な説明】
【技術分野】
【０００１】
本発明は、受信装置、地域情報の出力方法、出力プログラム、および記録媒体に関する。
【背景技術】
【０００２】
近年、各国の放送は、アナログ放送からデジタル放送に切り替えられつつある。
デジタル放送では、映像や音声などの放送番組だけでなく、各種のデータを配信できる。特許文献１には、データ放送方法が記載されている。
【先行技術文献】
【特許文献】
【０００３】
【特許文献１】特開２００４−０３２２９８号公報
【発明の概要】
【発明が解決しようとする課題】
【０００４】
ところで、データ放送では、情報の内容に制限されることなく、如何なる情報をも配信することが可能である。放送番組の情報、天気や交通の情報などの他に、たとえば特定の地域または地点についての情報をも送信することが可能である。そして、特定の地域または地点についての情報を放送により配信することにより、地域活性化等につながる可能性がある。
【０００５】
しかしながら、データ放送等により特定の地域または地点についての情報を配信したとしても、その情報が受信者により利用されるためには、受信者が自ら、受信装置を操作し、該情報を探し出す必要がある。
データ放送等では大量のデータが常に更新して配信されている。しかも、データ放送等のデータとしては、放送番組の情報、天気や交通の情報などのように広域的な情報が一般的である。これに対し、該特定の地域または地点についての情報は、データ放送等のデータとして一般的なものではなく、しかも、放送番組の情報のような広域的な情報とは違って、データ放送等のデータに必ず含まれているものでもない。
このようにデータの存在自体に不確実性がある状況において、データ放送等で受信した多数の受信データの中から、該特定の地域または地点についての情報を、ユーザに自ら探し出させることを期待することはできない。
その結果、データ放送等の利用は、実質的に、放送番組の情報、天気や交通の情報などの広域的で一般的な情報の配信に限られている。
【課題を解決するための手段】
【０００６】
請求項１に係る発明は、移動体に設置または携帯され、地域または地点についての地域データを含む複数の受信データを受信する受信部と、前記受信データの情報の出力を制御する処理部と、を有する受信装置であって、前記受信データには、前記受信データの出力を開始するべき地域または地点の情報が含まれ、前記地域データには、前記受信データの出力を開始するべき地域または地点へ至る通過地点の情報が含まれ、前記処理部は、前記受信データの出力を開始するべき地域または地点へ向かって、前記受信装置が前記通過地点を経由した場合に、前記受信データの情報を出力するように制御する、受信装置である。
【０００７】
請求項４に係る発明は、移動体に設置または携帯され、地域または地点についての地域データを含む複数の受信データを受信する受信部と、前記受信データの情報の出力を制御する処理部と、を有する受信装置に用いられる地域情報の出力方法であって、前記受信データの出力を開始するべき地域または地点の情報と、前記受信データの出力を開始するべき地域または地点へ至る通過地点の情報を含む地域または地点についての地域データと、を含む複数の受信データを受信する受信工程と、前記受信データの出力を開始するべき地域または地点へ向かって、前記受信装置が前記通過地点を経由した場合に、前記受信データの情報を出力するように制御する制御工程と、を含む地域情報の出力方法である。
【０００８】
請求項５に係る発明は、請求項４に記載の地域情報の出力方法を、コンピュータにより実行させる、地域情報の出力プログラムである。
【０００９】
請求項６に係る発明は、請求項５に記載の地域情報の出力プログラムが、コンピュータにより読み取り可能に記録されている、記録媒体である。
【図面の簡単な説明】
【００１０】
【図１】図１は、本発明の実施形態に係る受信装置の概略構成図である。
【図２】図２は、地域データを含むデータ放送用データのデータ構造の説明図である。
【図３】図３は、データ放送の起動時画面の一例を示す図である。
【図４】図４は、図２の地域情報の処理データに含まれる通過地点および表示地点の配置を示す説明図である。
【図５】図５は、第一通過地点または第２通過地点から表示地点へ移動した場合に表示される表示画面の一例を示す図である。
【図６】図６は、図２の地域データの受信から図５の地域情報の表示を得るための受信装置の処理の流れを示すフローチャートである。
【発明を実施するための形態】
【００１１】
以下、本発明の実施形態に係る受信装置１を、図面に基づいて説明する。
【００１２】
図１は、本発明の実施形態に係る受信装置１の概略構成図である。
本実施形態の受信装置１は、たとえば自動車などの車両（移動体）に搭載されるものである。なお、受信装置１は、車両に対して固定配置されても、車両から取り外し可能であってもよい。図１の受信装置１は、放送受信部１１、記憶部１２、制御部１３、表示部１４、音声出力部１５、操作部１６、無線通信部１７、ＧＰＳ（Global Positioning System）受信部１８、およびこれらを接続するシステムバス１９を有する。
【００１３】
放送受信部１１は、デジタルテレビジョン放送を受信する受信機である。
デジタルテレビジョン放送には、ＡＴＳＣ（Advanced Television Systems Committee）方式、ＩＳＤＢ（Integrated Services Digital Broadcasting）方式などがある。ＩＳＤＢ方式には、さらに衛星デジタル放送用のＩＳＤＢ−Ｓ方式、地上デジタル放送用のＩＳＤＢ−Ｔ方式、デジタルケーブルテレビ用のＩＳＤＢ−Ｃ方式などがある。
これらのデジタルテレビジョン放送データは、放送番組の映像および音声の他に、後述するデータ放送用データ２１を多重化可能なマルチキャリア方式のデータである。放送番組の映像データは、たとえばＭＰＥＧ（Moving Picture Experts Group）−２方式，ＭＰＥＧ−４ＡＶＣ（Advanced Video Coding）方式等で符号化される。音声データは、たとえばＡＡＣ（Advanced Audio Coding）方式で符号化される。データ放送用データ２１は、たとえば表示する情報をＢＭＬ（Broadcast Markup Language）で記述したものである。これらの符号化データは、多重化され、たとえば直交周波数分割多重（ＯＦＤＭ）方式で符号化される。
放送受信部１１は、たとえばＲＦ（Ｒａｄｉｏ  Ｆｒｅｑｕｅｎｃｙ）回路、フロントエンド回路、バックエンド回路などを有する。放送受信部１１は、設定された受信チャネルのデジタルテレビジョン放送を受信し、デジタルテレビジョン放送データを再生し、多重化されている放送番組の映像データ、音声データ、データ放送用データ２１を復号する。放送受信部１１は、復号したデータを、システムバス１９を通じて記憶部１２に保存させる。
【００１４】
記憶部１２は、受信装置１で使用するデータやプログラムを記憶するものであり、たとえばＲＯＭ（Read Only Memory）、ＲＡＭ（Random Access Memory）、ハードディスクデバイスなどで構成される。
なお、記憶部１２に記憶されるプログラムは、制御部１３により実行されるものであり、たとえばＣＤ−ＲＯＭ（Compact Disc Read Only Memory）、ＵＳＢ（Universal Serial Bus）記憶部１２などのコンピュータ読取可能な記録媒体に記憶されているものをインストールしたものでよい。
【００１５】
表示部１４は、文字、画像、映像を表示するものであり、たとえば液晶ディスプレイデバイスである。表示部１４は、受信装置１で表示する表示データが制御部１３等から入力され、これに基づく映像、データ放送の文字情報等を表示する。
【００１６】
音声出力部１５は、音声を出力するものであり、たとえばスピーカである。音声出力部１５には、受信装置１で再生する音声データが制御部１３等から入力され、これに基づく音声、音楽などを出力する。
【００１７】
操作部１６は、ユーザ操作が入力されるものであり、たとえばタッチパネルデバイス、キーデバイスである。操作部１６は、ユーザ操作に対応する入力データを、制御部１３等へ出力する。
【００１８】
無線通信部１７は、たとえば携帯電話網の基地局と通信するデバイスである。無線通信部１７は、基地局との間で双方向のデータ通信を実行する。無線通信部１７は、通信可能な基地局からＩＤ情報等を受信する。ＩＤ情報には、たとえば各基地局の位置情報等を含めることができる。無線通信部１７は、受信したデータを、制御部１３等へ出力する。
【００１９】
ＧＰＳ受信部１８は、たとえばＧＰＳ衛星からの電波を受信する。ＧＰＳ受信部１８は、複数の衛星の電波を受信し、受信した電波に基づく位置情報を生成する。ＧＰＳ受信部１８は、生成した位置情報を、制御部１３等へ出力する。
【００２０】
制御部１３は、受信装置１の動作を制御するものであり、たとえばマイクロコンピュータである。マイクロコンピュータは、プログラムを実行するＣＰＵ（Central Processing Unit）を有する。
制御部１３は、たとえば、操作部１６の入力データに基づいて放送受信部１１に受信チャネルを設定する。制御部１３は、放送受信部１１に受信されて記憶部１２に保存された映像データを加工して表示部１４へ出力し、記憶部１２の音声データを加工して音声出力部１５へ出力する。また、制御部１３は、放送受信部１１に受信されて記憶部１２に保存されたデータ放送用データ２１を加工して表示部１４へ出力する。ユーザは、表示部１４を通じて、たとえばデータ放送による番組の情報、天気や交通の情報などを得ることができる。
【００２１】
ところで、データ放送により配信可能な情報は、技術的にはその内容に制限されるものではなく、如何なる情報をも配信可能である。放送番組の情報、天気や交通の情報などの他に、たとえば特定の地域または地点についての情報をも送信することが可能である。そして、特定の地域または地点についての情報を放送により配信することにより、地域活性化等につながる可能性がある。
【００２２】
しかしながら、データ放送により特定の地域または地点についての情報を配信した場合、その情報が受信者により利用されるためには、受信者が自ら、受信装置１を操作し、該情報を探し出さなければならない。データ放送用データ２１は、ＢＭＬ等のマークアップ言語で記述されており、ユーザは、その記述にしたがった選択を繰り返すことで、情報を得る必要がある。
しかも、データ放送では、大量のデータが常に更新して配信されている。また、データ放送データでは、放送番組の情報、天気や交通の情報などのように広域的な情報が一般的である。
これに対し、該特定の地域または地点についての情報は、データ放送データとして一般的なものではない。しかも、放送番組の情報のような放送と関連した広域的な情報とは違い、データ放送データに必ず含まれると認識されているものでもない。
このようにデータの存在自体に不確実性がある状況において、データ放送で受信した多数のデータ放送用データ２１の中から、該特定の地域または地点についての情報を、ユーザに自ら探し出させることを期待することはできない。
【００２３】
そこで、本実施形態では、地域または地点についての情報をデータ放送により配信するために、データ放送用データ２１としての地域データ２５に、該情報とともに制御部１３に実行させる処理を記述する。
地域データ２５において、地域または地点についての情報はたとえばＢＭＬで記述し、制御部１３に実行させる処理はたとえばスクリプト言語等で記述すればよい。
【００２４】
図２は、データ放送用データ２１のデータ構造の説明図である。
図２のデータ放送用データ２１は、ＢＭＬで記述されたテキストで構成され、気象情報の表示データ２２、交通情報の表示データ２３、地震情報の表示データ２４とともに、地域データ２５を含む。
また、地域データ２５は、地域情報を表示する表示地点５６での処理データ２６、表示地点５６に至る所定の経路上の第一通過地点での処理データ２７、他の第２通過地点での処理データ２８、他の第３通過地点での処理データ２９が含まれる。これらは、受信データの出力を開始するべき地域または地点の情報を含む。
【００２５】
放送受信部１１は、受信したデータ放送用データ２１を記憶部１２に保存する。制御部１３は、記憶部１２からデータ放送用データ２１を読み込み、データを解釈し、データにより指定された処理を実行する。
たとえば、制御部１３は、図２の気象情報の表示データ２２を読み込んだ場合、ＢＭＬを解釈し、気象情報の表示処理を実行する。制御部１３は、ＢＭＬの記述に基づいて気象情報の表示データ２２に含まれる東京都の気象情報、神奈川県の気象情報、千葉県の気象情報、埼玉県の気象情報を表示するための表示データを生成し、表示部１４へ出力する。表示部１４は、これらの気象情報を表示する。
【００２６】
図３は、データ放送の起動時画面４１の一例を示す図である。
図３の起動時画面４１は、図２のデータ放送用データ２１を表示部１４に表示した場合のものである。
そして、図３に示すように、起動時画面４１では、図２のデータ放送用データ２１のうち、ＢＭＬのみで記述された気象情報、交通情報、および地震情報が、通常のデータ放送画面に表示される。
制御部１３は、図２のデータ放送用データ２１を受信した場合、制御部１３に実行させる処理として記述されていないＢＭＬデータを、その記述に基づいて起動時画面４１に割り付け、図３の起動時画面４１の表示データを生成する。
【００２７】
図４は、図２の地域データ２５に含まれる第一通過地点５７、第２通過地点５８、第３通過地点５９、および表示地点５６の配置を示す説明図である。
図４には、図の左右方向へ延在する高速道路５１と、図中央で高速道路５１から分岐する一般道路５２とが図示されている。一般道路５２の先は、情報提供地域６０につながっている。
【００２８】
そして、表示地点５６は、たとえば川越インターチェンジ５３などの高速道路５１の出入り口である。なお、表示地点５６は、情報提供地域６０であってもよい。
第一通過地点５７は、たとえば川越インターチェンジ５３の東京方面寄りの高速道路５１上の地点である。
第２通過地点５８は、たとえば川越インターチェンジ５３の新潟方面寄りの高速道路５１上の地点である。
第３通過地点５９は、たとえば川越インターチェンジ５３に接続される川越街道などの一般道上の地点である。
【００２９】
図２に示すように、データ放送用データ２１では、第一通過地点での処理データ２７として、高速道路５１上の第一通過地点５７の位置情報と、第一通過地点５７での処理とが記述される。第一通過地点５７での処理は、具体的には、現在位置が第一通過地点５７の位置情報と一致した場合に、記憶部１２に領域Ｍ１を確保し、該領域Ｍ１にフラグの値「１」を設定する処理である。
【００３０】
第２通過地点での処理データ２８には、高速道路５１上の第２通過地点５８の位置情報と、第２通過地点５８での処理とが記述される。第２通過地点５８での処理は、具体的には、現在位置が第２通過地点５８の位置情報と一致した場合に、記憶部１２に領域Ｍ１を確保し、該領域Ｍ１にフラグの値「１」を設定する処理である。
【００３１】
第３通過地点での処理データ２９には、具体的な記述がない。この場合、制御部１３は、第３通過地点５９での処理を実行しない。第３通過地点５９を通過した場合には、記憶部１２の領域Ｍ１にフラグ「１」が設定されない。なお、一般道上の第３通過地点５９の位置情報が含まれてもよい。
【００３２】
表示地点５６での処理データ２６には、表示地点５６の位置情報と、表示地点５６での処理とが記述される。表示地点５６での処理は、具体的には、現在位置が表示地点５６の位置情報と一致した場合に、記憶部１２の領域Ｍ１にフラグの値「１」が記録されているか否かを判断し、フラグの値「１」が記録されている場合には、地域または地点のコンテンツ情報を表示する処理である。また、フラグの値「１」が記録されてない場合には、地域または地点のコンテンツ情報を表示することなく処理を終了する。
また、この表示地点５６での処理データ２６に含まれる、地域または地点のコンテンツ情報は、たとえば図４の一般道の先にある情報提供地域６０の情報であればよい。
【００３３】
図５は、第一通過地点５７または第２通過地点５８から表示地点５６へ移動し、表示地点５６を通過した場合に表示される表示画面６１の一例を示す図である。
図５の画面では、情報提供地域６０の情報として、祭りが開催されること、交通規制情報、臨時駐車場情報などが表示される。これらの情報は、たとえばＢＭＬの記述にしたがったレイアウトで表示される。
【００３４】
図６は、図２の地域データ２５の受信から図５の地域情報の表示を得るための受信装置１の処理の流れを示すフローチャートである。
【００３５】
受信装置１の放送受信部１１は、デジタルテレビジョン放送を受信する。放送受信部１１は、デジタルテレビジョン放送電波により受信送信される複数のデータ放送用データ２１を受信する（ＳＴ１）。放送受信部１１は、受信したデータ放送用データ２１をメモリに保存する。放送受信部１１は、データ放送用データ２１の一部または１つとして図２の地域データ２５を受信し、メモリに保存する（ＳＴ２）。
【００３６】
受信装置１の制御部１３は、メモリを監視し、地域データ２５がメモリに書き込まれたことを検出すると、地域データ２５に記述された処理に基づいて図６の処理を実行する。
制御部１３は、データ放送の起動時画面４１を生成し、表示部１４に表示させる（ＳＴ３）。表示部１４には、図３の画面が表示される。
【００３７】
また、受信した地域データ２５には、たとえば図２に示すように、制御部１３に実行させる処理が記述されている。
そのため、制御部１３は、データ放送の起動時画面４１を表示した後、地域データ２５の処理の記述を解釈し、車両位置に基づく表示制御処理を開始する。
具体的には、受信した地域データ２５中の処理にたとえば図４の各地点の位置情報が記述されている場合、制御部１３は、ＧＰＳ受信部１８から車両の現在位置の取得を開始し（ＳＴ４）、地域データ２５中に記述された各地点の位置情報との比較を開始する（ＳＴ５）。ＧＰＳ受信部１８は、たとえば１秒等の任意の時間で位置情報を周期的に生成する。
【００３８】
取得した現在位置が地域データ２５中に記述されたいずれの地点の位置とも一致しない場合、不一致と判断し、車両の現在位置の取得および比較を継続する（ＳＴ４，ＳＴ５）。
【００３９】
取得した現在位置が地域データ２５中に記述されたいずれかの地点の位置と一致する場合、制御部１３は、一致と判断し、一致した地点に対応して記述された処理を実行する（ＳＴ６）。
たとえば、現在位置が図４の第一通過地点５７に一致すると判断した場合、制御部１３は、地域データ２５に記載された第一通過地点５７での処理を実行する。制御部１３は、記憶部１２に領域Ｍ１を確保し、該領域Ｍ１にフラグの値「１」を設定する。
また、現在位置が図４の第２通過地点５８に一致すると判断した場合、制御部１３は、地域データ２５に記載された第２通過地点５８での処理を実行する。制御部１３は、記憶部１２に領域Ｍ１を確保し、該領域Ｍ１にフラグの値「１」を設定する。
また、現在位置が図４の第３通過地点５９に一致すると判断した場合、制御部１３は、地域データ２５に記載された第３通過地点５９での処理を実行する。第３通過地点での処理データ２９には具体的な記述がないので、制御部１３は、具体的な処理を実行しない。
このように一致と判定した通過地点の処理を実行した後、制御部１３は、再び車両の現在位置の取得および比較を継続する（ＳＴ４，ＳＴ５）。
【００４０】
その後、車両が移動し、図４の表示地点５６に到達すると、制御部１３は再び一致と判断し、表示地点５６に対応して記述された処理を実行する（ＳＴ６）。
表示地点５６の処理において、制御部１３は、まず、記憶部１２の領域Ｍ１にフラグの値「１」が記録されているか否かを判断する。
そして、記憶部１２の領域Ｍ１にフラグの値「１」が記録されている場合、制御部１３は、地域データ２５に記述された地域または地点のコンテンツ情報を表示部１４に表示させる。制御部１３は、たとえば図４の情報提供地域６０の情報を、表示部１４に表示させる。
その後、制御部１３は、再び車両の現在位置の取得を継続する。なお、制御部１３は、表示地点５６の通過により、図６の処理を終了してもよい。
【００４１】
以上のように、本実施形態では、デジタルテレビジョン放送により地域データ２５を配信し、車両が所定の表示地点５６に向かって移動する場合には、情報提供地域６０の情報を表示できる。
複数のデータ放送用データ２１が順次更新して配信されるデジタルテレビジョン放送により、所定の地域または地点に係る地域データ２５を配信し、該地域または地点の情報を自動的に表示できる。
ユーザは、自ら、大量に配信される多数のデータ放送用データ２１の中から該地域データ２５が探し出すことなく、該地域または地点の情報を得ることができる。
【００４２】
しかも、本実施形態では、たとえば図４にあるように高速道路５１などの所定の経路から表示地点へ向かって移動していると判断できる場合に、情報提供地域６０の情報を表示し、それ以外の場合には、該情報を表示しない。
このため、たとえば該情報提供地域６０から帰宅する場合のように該情報の表示が不要である場合に、該情報が表示されないようにできる。ユーザが情報を必要とするとき場合にのみ該情報を表示し、不要な情報の提供を抑制できる。
これに対し、仮にたとえば単に表示地点５６への到達により情報を表示する場合、所定の通過地点から表示地点５６に至る経路で移動した場合だけでなく、たとえば出力地点から離脱する帰宅時においても、該情報が表示されてしまう。ユーザは、煩わしさから本実施形態の表示機能を停止してしまう可能性がある。
【００４３】
特に、本実施形態では、表示処理を実行する表示地点５６での表示処理だけでなく、該表示地点５６に至る前の所定の経路上の地点を、事前の通過地点５７〜５９とし、該通過地点５７〜５９での処理として記憶部１２にフラグを立てている。その結果、複数の通過地点（経路）の指定が可能となり、実際の走行履歴を保持したり、表示タイミングにおいて該走行履歴について検証したりする必要が無く、タイムリーに表示が可能である。
たとえば表示地点５６を通過し、さらにしばらく経過してから情報が遅れて表示されるようなことが起こらなくなる。適切な表示タイミングでの情報提供が可能になる。
【００４４】
また、本実施形態では、地域データ２５において複数の通過地点５７〜５９の処理を規定することができる。また、この複数の通過地点５７〜５９での処理が、地点毎の別々の処理として記述され、かつ、フラグを立てるという共通の処理により記述されているので、走行履歴を各々に対応する複数の経路と直接に照らし合わせる必要はない。軽い処理負荷により、いずれかの経路で表示地点５６へ向かっているか否かを判断できる。
【００４５】
以上の実施形態は、本発明の好適な実施形態の例であるが、本発明はこれに限定されるのもではなく、発明の要旨を逸脱しない範囲において種々の変形または変更が可能である。
【００４６】
たとえば上記実施形態では、地域データ２５は、ＢＭＬによる他の表示データとともに、１つのデータ放送用データ２１を構成している。この他にもたとえば、地域データ２５は、それだけで１つのデータ放送用データ２１を構成してよい。
【００４７】
上記実施形態では、制御部１３は、地域データ２５に基づいて、１個の通過地点から表示地点５６への移動を判定している。この他にもたとえば、制御部１３は、複数個の通過地点から表示地点５６への移動を判定してよい。この場合、記憶部には、通過地点の個数に応じた多ビットのフラグを記憶させればよい。
【００４８】
上記実施形態では、地域データ２５は、デジタルテレビジョン放送のデータ放送用データとして、受信装置１へ配信されている。この他にもたとえば、地域データ２５は、デジタルラジオ放送のデータ放送用データ、インターネットテレビまたはインターネットラジオのデータとして、受信装置１へ配信されてよい。
【００４９】
上記実施形態では、受信装置１は、車両に搭載されている。この他にもたとえば、受信装置１は、携帯再生装置、携帯電話端末、多機能携帯端末などでもよい。このような受信装置１は、人などが携帯することにより、装置単体で移動する。
【符号の説明】
【００５０】
１  受信装置
１１  放送受信部（受信部）
１２  記憶部
１３  制御部（処理部）
２１  データ放送用データ（受信データ）
２５  地域データ
２６，２７，２８，２９  処理データ
５６  表示地点
５７  第１通過地点
５８  第２通過地点
５９  第３通過地点
６０  情報提供地域
Ｍ１  領域
【図１】
0005840545.tif 000002
【図２】
0005840545.tif 000003
【図３】
0005840545.tif 000004
【図４】
0005840545.tif 000005
【図５】
0005840545.tif 000006
【図６】
0005840545.tif 000007